(57)【特許請求の範囲】
【請求項１】
支柱に係止した棚板ブラケットに、ラウンド棚板を載置するようにしたラウンド棚板支持装置において、
支柱を、前側及び後側並びに外側面の前後の斜面部に、上下方向に係止孔を列設したものとし、前記前側及び後側の係止孔に、それぞれ前後方向に延びる端部棚板ブラケットの基端部を、また、前記両斜面部の係止孔に、それぞれ斜め前方及び斜め後方に向かって放射状に突出する放射棚板ブラケットの基端部を係止し、前記放射棚板ブラケットにおける基端部寄りの箇所に、前記端部棚板ブラケットの方向に延びて、その遊端が端部棚板ブラケットの外側面に当接する第１の固定部材と、他方の放射棚板ブラケットの方向に延びて、互いの遊端同士が当接する第２の固定部材とを設けたことを特徴とするラウンド棚板支持装置。
【請求項２】
第１及び第２の固定部材が、その上面が、ラウンド棚板の受け面をなすとともに、放射棚板ブラケットの両側面に対称的に固着されたものである請求項１記載のラウンド棚板支持装置。
【請求項３】
端部棚板ブラケットの先端部と放射棚板ブラケットの先端部との間、及び互いに対向する放射棚板ブラケットの先端部同士の間に、上面がラウンド棚板の受け面をなす連結部材を架設した請求項１または２記載のラウンド棚板支持装置。
【請求項４】
放射棚板ブラケットの先端部に、他方の放射棚板ブラケットの先端部の方向と、端部棚板ブラケットの先端部の方向とを向く１対の受け部材を固着し、断面ほぼ下向きコ字形状の連結部材の一端部を、前記受け部材に上方より嵌合させてなる請求項３記載のラウンド棚板支持装置。
【請求項５】
ラウンド棚板が透光性材料製である請求項１〜４のいずれかに記載のラウンド棚板支持装置。
【発明の詳細な説明】
【０００１】
【発明の属する技術分野】
本発明は、商店やスーパーマーケット、百貨店等で使用され、商品陳列棚の側方に設置されるラウンド棚板の支持装置に関する。
【０００２】
【従来の技術】
商品陳列棚の端部の支柱に設けられるラウンド棚板の支持装置としては、例えば特開平１０−２１１０６７号公報及び特開平１１−２４３号公報に記載のものがあげられる。両者はいずれも、支柱から前後方向に延びる端部棚板ブラケットと、斜め前方及び斜め後方に延びる放射棚板ブラケットとに、方形かつ閉ループ状の枠体を止めねじで固定するとともに、枠体の内部にラウンド棚板を取り付けたものである。
【０００３】
また、前者では、放射棚板ブラケットの振れを防止するため、前後方向を向く固定部材の両端部を、両放射棚板ブラケットの基端部にねじ止めしており、後者では、前後方向を向く連結具の両端部を、両放射棚板ブラケットの基端部にねじ止めするとともに、両放射板ブラケットに、端部棚板ブラケット側に向かって延出する固定片の基端部をねじ止めし、他端面を端部棚板ブラケットの側面に当接させることにより、両放射棚板ブラケットの振れを防止している。
【０００４】
【発明が解決しようとする課題】
特開平１０−２１１０６７号公報及び特開平１１−２４３号公報に記載のものはいずれも、放射棚板ブラケットの振れを防止するために、固定部や固定片等を放射棚ブラケットにねじ止めしているので、組立作業が面倒であるとともに、部品点数が増加してしまうという問題がある。
【０００５】
また、閉ループ状の枠体は強固に製作する必要があるので、その製作コストが高くなってしまうとともに、枠体を放射棚板ブラケットにねじ止めしているので、枠体の支柱への取付作業は面倒である。
【０００６】
本発明は、従来の技術が有する上述のような問題点に鑑みてなされたものであり、部品点数を増加させることなく、かつ簡単な組付作業により、放射棚板ブラケットの振れを防止するとともに、閉ループ状の枠体を用いずに、ラウンド棚板を確実に支持しうるようにしたラウンド棚板支持装置を提供することを目的としている。
【０００７】
【課題を解決するための手段】
本発明によると、上記課題は、次のようにして解決される。
（１）支柱に係止した棚板ブラケットに、ラウンド棚板を載置するようにしたラウンド棚板支持装置において、支柱を、前側及び後側並びに外側面の前後の斜面部に、上下方向に係止孔を列設したものとし、前記前側及び後側の係止孔に、それぞれ前後方向に延びる端部棚板ブラケットの基端部を、また、前記両斜面部の係止孔に、それぞれ斜め前方び斜め後方に向かって放射状に突出する放射棚板ブラケットの基端部を係止し、前記放射棚板ブラケットにおける基端部寄りの箇所に、前記端部棚板ブラケットの方向に延びて、その遊端が端部棚板ブラケットの外側面に当接する第１の固定部材と、他方の放射棚板ブラケットの方向に延びて、互いの遊端同士が当接する第２の固定部材とを設ける。
【０００８】
（２）上記（１）項において、第１及び第２の固定部材が、その上面が、ラウンド棚板の受け面をなすとともに、放射棚板ブラケットの両側面に対称的に固着されたものとする。
【０００９】
（３）上記（１）または（２）項において、端部棚板ブラケットの先端部と放射棚板ブラケットの先端部との間、及び互いに対向する放射棚板ブラケットの先端部同士の間に、上面がラウンド棚板の受け面をなす連結部材を架設する。
【００１０】
（４）上記（３）項において、放射棚板ブラケットの先端部に、他方の放射棚板ブラケットの先端部の方向と、端部棚板ブラケットの先端部の方向とを向く１対の受け部材を固着し、断面ほぼ下向きコ字形状の連結部材の一端部を、前記受け部材に上方より嵌合させる。
【００１１】
（５）上記（１）〜（４）項のいずれかにおいて、ラウンド棚板を透光性材料製とする。
【００１２】
【発明の実施の形態】
図１は、本発明であるラウンド棚板支持装置を用いたラウンド棚付きの商品陳列棚（１）の斜視図である。左右１対の支柱（２）（２）の前後面（図１の右下側を「前方」とし、左上側を「後方」とする）に棚板（３）（３）が設けられ、かつ左側の支柱（２）の外側方には、ラウンド棚板（４）が設けられている。
図２〜図４に示すように、左側の支柱（２）は、角筒状の棚板支柱（５）の外側面に、この外側面の中央から斜め前方及び斜め後方に左右方向に対して約４５゜の角度で突出する２つの突条部（６ａ）（６ａ）を具備するラウンド支柱（６）を固着したものである。
【００１３】
図１〜図４に示すように、棚板支柱（５）の前面及び後面には、それぞれ、左右に並ぶ縦長の係止孔（７）が、上下方向に等間隔に穿設されている。
また、ラウンド支柱（６）の突条部（６ａ）（６ａ）にも、同様な縦長の係止孔（１６）が、上下方向に等間隔に穿設されている。斜面部（６ａ）（６ａ）は、左右方向に対して約４５度の角度をなしている。
各係止孔（７）（１６）は、上下方向の長さと間隔が同一であり、上下左右方向に整列して設けられている。
なお、ラウンド支柱（６）は、図５に示すような平面視外向き台形の筒状のものとすることもある。
【００１４】
棚板支柱（５）の前後面の２列の係止孔（７）のうち外側の係止孔には、図６に示す端部棚板ブラケット（８）の基端側の下向係止片（９）が係止されている。端部棚板ブラケット（８）は、垂直姿勢の板片であって、その上面は水平面となっている。基端側には、上述の下向係止片（９）が形成され、先端部には上端に係止溝（１０）が形成されている。
【００１５】
ラウンド支柱（６）のそれぞれの突条部（６ａ）の係止孔（１６）には、図７及び図８に示す放射棚板ブラケット（１１）の基端側の下向係止片（９）が係止されている。放射棚板ブラケット（１１）は、その本体部分が垂直姿勢の板片であって、その上面は水平面となっており、基端側には上述の下向係止片（９）が形成されている。
【００１６】
図２及び図４に示すように、放射棚板ブラケット（１１）における端部棚板ブラケット（８）側の側面の基端部近傍には、端部棚板ブラケット（８）の方向に水平に延び、その遊端が端部棚板ブラケット（８）の外側面に当接する、断面下向きコ字状の第１の固定部材（１２）が固着されており、他方の放射棚板ブラケット（１１）側の側面の基端部近傍には、他方の放射棚板ブラケット（１１）方向に水平に延びる断面下向きのコ字状の第２の固定部材（１３）が設けられている。
【００１７】
この放射状ブラケット（１１）の第２の固定部材（１３）の遊端は、対向する他方の放射棚板ブラケット（１１）の第２の固定部材（１３）の遊端と互いに当接しており、端部棚板ブラケット（８）及び放射棚板ブラケット（１１）は、その基端側で振れ止めされる。
なお、第１及び第２の固定部材（１２）（１３）の上面は、ラウンド棚板（４）の受け面となっている。
【００１８】
放射棚板ブラケット（１１）の先端部の両側面には、図８に示すように、断面下向きコ字状をなすとともに、他方の放射棚板ブラケット（１１）の先端部と、端部棚板ブラケット（８）の先端部とに向かって延出する１対の受け部材（１４）の一方の端面が固着されている。
【００１９】
放射棚板ブラケット（１１）の先端部の受け部材（１４）には、図９及び図１０に示す断面略下向きコ字状の連結部材（１５）の斜切端部（１５ａ）が、上方から嵌合されており、この連結部材（１５）の反対側の端部に形成された下向き鉤部（１７）は、前述の端部棚板ブラケット（８）の先端部の係止溝（１０）に差し込まれて係止されている。
【００２０】
対をなす２つの放射棚板ブラケット（１１）の互いに向かい合う側の受け部材（１４）には、図１１及び図１２に示す連結部材（１８）の両端の斜切端部（１８ａ）が、上方から嵌合されている。
【００２１】
このようにして、図２に示すように、端部棚板ブラケット（８）の先端部と放射棚板ブラケット（１１）の先端部、及び２つの放射棚板ブラケット（１１）の先端部同士は連結部材（１５）（１８）により連結されており、連結部材（１５）（１８）の上面は、ラウンド棚板（４）の受け面を形成している。
【００２２】
図１０および図１２に示すように、連結部材（１５）（１８）の上面には、複数のゴム製緩衝部材（１９）が突設されており、その上面に、例えばガラス板のような透光性材料製のラウンド棚板（４）が載置されている。
【００２３】
【発明の効果】
請求項１記載の発明によれば、放射棚板ブラケットが、ぶれることなく支持される一方、部品点数は少なく、かつその組立作業は容易である。
【００２４】
請求項２記載の発明によれば、ラウンド棚板を固定部材の面で支えるため安定し、かつ左右の放射棚板ブラケットとして同じものが使用できる。
【００２５】
請求項３記載の発明によれば、閉ループ状の枠体を用いることなく、ラウンド棚板の周縁部を面で安定して支持することができるとともに、放射棚板ブラケットのぶれ止め効果を向上させることができる。
【００２６】
請求項４記載の発明によれば、連結部材の一端部を、放射棚板ブラケットの先端部に簡単かつ確実に取り付けることができる。
【００２７】
請求項５記載の発明によれば、下方のラウンド棚板の採光性がよくなるとともに、開放感が生まれる。
【図面の簡単な説明】
【図１】本発明の一実施形態のラウンド棚板支持装置を有するラウンド棚板を備えた商品陳列棚の斜視図である。
【図２】図１に示すラウンド棚板の拡大平面図である。
【図３】同じく、支柱の側面図である。
【図４】同じく、端部棚板ブラケット及び放射棚板ブラケットの基端部付近の拡大平面図である。
【図５】同じく、ラウンド支柱の別例を示す拡大横断面図である。
【図６】同じく、端部棚板ブラケットの側面図である。
【図７】同じく、放射棚板ブラケットの側面図である。
【図８】同じく、放射棚板ブラケットの平面図である。
【図９】同じく、左右方向の連結部材の平面図である。
【図１０】同じく、左右方向の連結部材の側面図である。
【図１１】同じく、前後方向の連結部材の平面図である。
【図１２】同じく、前後方向の連結部材の側面図である。
【符号の説明】
（１）商品陳列棚
（２）支柱
（３）棚板
（４）ラウンド棚板
（５）棚板支柱
（６）ラウンド支柱
（６ａ）突条部
（７）係止孔
（８）端部棚板ブラケット
（９）下向き係止片
（１０）係止溝
（１１）放射棚板ブラケット
（１２）第１の固定部材
（１３）第２の固定部材
（１４）受け部材
（１５）連結部材
（１５ａ）斜切端部
（１６）係止孔
（１７）下向き鉤部
（１８）連結部材
（１８ａ）斜切端部
（１９）緩衝部材
【図１】
0003616986.tif 000002
【図２】
0003616986.tif 000003
【図３】
0003616986.tif 000004
【図４】
0003616986.tif 000005
【図５】
0003616986.tif 000006
【図６】
0003616986.tif 000007
【図７】
0003616986.tif 000008
【図８】
0003616986.tif 000009
【図９】
0003616986.tif 000010
【図１０】
0003616986.tif 000011
【図１１】
0003616986.tif 000012
【図１２】
0003616986.tif 000013